(57)【要約】【課題】液晶表示デバイス、特に、液晶表示デバイスにおけるピクセル行の更新の方法を提供する。【解決手段】液晶表示デバイス内に配置されたピクセルの電極に供給される電圧を切り換える方法及び装置。第１の組の液晶電極に供給される交流電圧に関連する周波数を低下させることにより、液晶表示デバイスを駆動するのに必要な電力を低減することができる。同時に、液晶表示デバイス内のピクセルの行を更新するための並べ替えられたスケジュールは、改善された画像品質を提供することができる。【選択図】図１
2010176137.tif 000002
【特許請求の範囲】
【請求項１】
ディスプレイパネル内のピクセルの行を更新する方法であって、
シーケンスにおける各行が少なくとも１つの行だけ該シーケンスにおける次の行から分離されているような行のシーケンスを各組が含む複数の更新組の１つに、ディスプレイパネル内のピクセルの各行を割り当てる段階と、
一定周波数で２つの電圧レベル間で切り換わるようになった共通電圧を前記ディスプレイパネル内の１組の電極に印加する段階と、
前記電極に印加された前記電圧が電圧レベルを切り換える度に更新組の前記行のピクセルを更新する段階と、
を含むことを特徴とする方法。
【請求項２】
各更新組が、同じ数の行を有することを特徴とする請求項１に記載の方法。
【請求項３】
各更新組が、全て偶数行又は全て奇数行のいずれかのシーケンスを含むことを特徴とする請求項１に記載の方法。
【請求項４】
各更新組が全て偶数行又は全て奇数行のいずれかのシーケンスを含む第１及び第２の更新組だけを割り当てる段階と、
一方の更新組の前記行の前記ピクセルを他方の更新組の前記行の前記ピクセルを更新する前に更新する段階と、
を更に含むことを特徴とする請求項３に記載の方法。
【請求項５】
前記ディスプレイパネルのゲートパルスシーケンスを修正することによって更新組の前記行の前記ピクセルを更新する段階を更に含むことを特徴とする請求項１に記載の方法。
【請求項６】
ディスプレイ駆動チップ内で前記ゲートパルスシーケンスを修正する段階を更に含むことを特徴とする請求項５に記載の方法。
【請求項７】
ゲート駆動回路を通じて前記ゲートパルスシーケンスを修正する段階を更に含むことを特徴とする請求項５に記載の方法。
【請求項８】
ディスプレイパネル内のピクセルの行を更新する方法であって、
ディスプレイパネル内の全ての行のピクセルが更新されるまで、複数の偶数行のピクセルを更新する段階と複数の奇数行のピクセルを更新する段階の間で交替させる段階、
を含むことを特徴とする方法。
【請求項９】
前記複数の偶数行及び奇数行の前記ピクセルを各更新する段階は、同じ数の行を更新する段階を含むことを特徴とする請求項８に記載の方法。
【請求項１０】
全ての奇数行の前記ピクセルを更新する前に全ての偶数行の前記ピクセルを更新する段階を更に含むことを特徴とする請求項８に記載の方法。
【請求項１１】
前記ディスプレイパネルのゲートパルスシーケンスを修正することによって前記複数の偶数行及び奇数行の前記ピクセルを更新する段階を更に含むことを特徴とする請求項８に記載の方法。
【請求項１２】
ディスプレイ駆動チップ内で前記ゲートパルスシーケンスを修正する段階を更に含むことを特徴とする請求項１１に記載の方法。
【請求項１３】
ゲート駆動回路を通じて前記ゲートパルスシーケンスを修正する段階を更に含むことを特徴とする請求項１１に記載の方法。
【請求項１４】
共通交流電圧供給源に結合された共通電極と個々にアドレス可能なピクセル電極とを各ピクセルが含む、複数の行に配列されたピクセルのアレイと、
前記ピクセルのアレイに接続され、かつ交替する偶数行の群及び奇数行の群が更新されるように行更新シーケンスを並べ替えるようになった第１のモジュールと、
前記ピクセルのアレイに接続され、かつ前記並べ替えられた行更新シーケンスに対応する群内の行を選択するようになったゲートパルスシーケンスを並べ替えるようになった第２のモジュールと、
を含むことを特徴とする表示装置。
【請求項１５】
前記第１のモジュールは、部分フレームバッファを含む液晶ディスプレイ駆動モジュール内に配置されることを特徴とする請求項１４に記載の装置。
【請求項１６】
前記第１のモジュールは、ホストビデオドライバ内に配置されることを特徴とする請求項１４に記載の装置。
【請求項１７】
前記第２のモジュールは、液晶ディスプレイ駆動モジュール内に配置されることを特徴とする請求項１４に記載の装置。
【請求項１８】
前記第２のモジュールは、電気絶縁基板上に配置された１組のゲート駆動回路を含むことを特徴とする請求項１４に記載の装置。
【請求項１９】
前記共通交流電圧供給源は、一定周波数で電圧を切り換えるようになっており、
前記周波数は、望ましいレベルの画像品質を達成するように選択される、
ことを特徴とする請求項１４に記載の装置。
【請求項２０】
タッチセンサパネルが、コンピュータシステム内に組み込まれることを特徴とする請求項１４に記載の装置。
【請求項２１】
液晶表示デバイスにおいて反転を実行する方法であって、
液晶表示デバイス内のピクセルの行を漸進的に更新するようになったビデオフィードを受け取る段階と、
奇数行と同じ数の偶数行を収容する指定された量の行がメモリバッファ内に最初に格納され、かつ該偶数行が該奇数行の前に更新されるように前記ビデオフィードが並べ替えられるように、該ビデオフィードを並べ替える段階と、
前記並べ替えられたビデオフィードに対応する行を選択するようになったゲートパルスシーケンスを作成する段階と、
を含むことを特徴とする方法。
【請求項２２】
行の前記量は、前記ピクセルの各々に関連する電極に結合された電圧供給源に関連する周波数に対応するように選択されることを特徴とする請求項２１に記載の方法。
【請求項２３】
前記周波数は、前記液晶表示デバイスを駆動するのに必要な全電力量を低減するように選択されることを特徴とする請求項２２に記載の方法。
【請求項２４】
行の前記量は、前記液晶表示デバイス上で前記ビデオフィードを表示することに関連する画像破れのレベルを低減するように選択されることを特徴とする請求項２１に記載の方法。
【請求項２５】
タッチセンサパネル、携帯電話、メディアプレーヤ、又はパーソナルコンピュータにおいて実行されることを特徴とする請求項２１に記載の方法。
【発明の詳細な説明】
【技術分野】
【０００１】
本発明の開示の実施形態は、一般的に液晶表示デバイスの分野に関する。より詳細には、本発明の開示の実施形態は、一例示的態様では、液晶表示デバイスにおけるピクセル行の更新の方法に向けられている。
【背景技術】
【０００２】
従来型の液晶ディスプレイは、多くの場合に、液晶分子が充填されて光源（バックライトのような）又は反射板の前に配列された多数のカラー又はモノクロのピクセルから成る。ディスプレイの各アドレス可能ピクセルは、２つの電極の近くに配置された液晶素子を含む。２つの電極間に電圧を設定することにより、２つの電極間の電界の強度が変えられる。この電界の強度は、液晶素子内の分子に電界に対して特定の向き（すなわち、電界に対して平行又は垂直のいずれか、又はその間の何らかの角度）を持たせる。適切に配向された偏光板と組み合わされると、液晶素子は、実質的にシャッターとして作用し、それぞれのピクセルにおいてある一定量の光をディスプレイから退出させる。すなわち、２つの電極間の電圧を調節することにより、ディスプレイは、様々なレベルの灰色（又は、カラーの場合、様々なレベルの赤、緑、又は青色）を生成することができる。
【０００３】
２つの電極間の電圧が長期間一定に保たれた場合、「画像膠着」として公知の現象が発生する可能性がある。画像膠着は、電極に印加された電圧が変更された後で液晶がその通常状態に戻るのを妨げる液晶内の寄生電荷蓄積の結果である。これは、特定のサブピクセルの下部又は上部における荷電結晶アライメント、又は更にサブピクセルの縁部に向う結晶移動を引き起こす可能性がある。画像膠着の正味の影響は、先に表示された画像のかすかな輪郭が、画像が変わった後でさえも表示画面上に残る可能性があることである。この影響は、従って望ましくない。
【発明の概要】
【発明が解決しようとする課題】
【０００４】
従来の反転技術は、２つの電極間に印加された電圧の極性を周期的に切り換えることによってこの現象を補正する。しかし、これらの反転技術の一部は、画像劣化及び／又はちらつきをもたらし、一方、他の技術は、大きな出力電圧範囲を供給することができるハードウエアを必要とするか、又はそうでなければ高周波数の交流電圧を必要とする。この理由のために、従来の反転技術は、実施するのに多くの場合に大量の電力を必要とする。
【課題を解決するための手段】
【０００５】
本発明の開示の様々な実施形態は、液晶表示デバイス内に配置されたピクセルの電極に供給される電圧を切り換える方法に関する。第１の組の液晶電極に供給される交流電圧に関連する周波数を低下させることにより、液晶表示デバイスを駆動するのに必要な電力を低減することができる。同時に、液晶表示デバイス内のピクセル行を更新するための並べ替えたスケジュールは、画像品質を改善することができる（すなわち、知覚可能なちらつき及び／又は画像の破れがない）。
【図面の簡単な説明】
【０００６】
【図１】本発明の開示の実施形態による例示的薄膜トランジスタ回路の一部分を示す図である。
【図２】本発明の開示の実施形態による例示的液晶コンデンサの略図である。
【図３Ａ】本発明の開示の実施形態による２行並べ替え反転方法に関連する例示的共通電圧波形を示す略図である。
【図３Ｂ】本発明の開示の実施形態による２行並べ替え反転方法に関連する例示的データ電圧波形を示す略図である。
【図３Ｃ】本発明の開示の実施形態による２行並べ替え反転方法に関連する例示的ゲートパルスシーケンスを示す略図である。
【図３Ｄ】本発明の開示の実施形態による２行並べ替え反転方法に関連するブラックデータソースに対する例示的相対電圧波形を示す略図である。
【図３Ｅ】本発明の開示の実施形態による２行並べ替え反転方法に関連するホワイトデータソースに対する例示的相対電圧波形を示す略図である。
【図３Ｆ】本発明の開示の実施形態による２行並べ替え反転方法の間の液晶コンデンサの例示的相対電圧の表を示す略図である。
【図４Ａ】従来の１行反転に対する例示的行シーケンスを示す表である。
【図４Ｂ】本発明の開示の実施形態による２行並べ替え反転に対する例示的行シーケンスを示す表である。
【図４Ｃ】本発明の開示の実施形態による４行並べ替え反転に対する例示的行シーケンスを示す表である。
【図４Ｄ】本発明の開示の実施形態による８行反転に対する例示的行シーケンスを示す表である。
【図５】本発明の開示の実施形態による並べ替え反転を利用するタッチセンサパネル及びディスプレイモジュールを含む例示的コンピュータシステムを示す図である。
【図６】本発明の開示の実施形態による並べ替え反転を利用するタッチ画面を含む例示的コンピュータシステムを示す図である。
【図７】本発明の開示の実施形態による並べ替え反転を利用する例示的タッチ画面の一部分を示す図である。
【図８】本発明の開示の実施形態による並べ替え反転を利用する別の例示的タッチ画面の一部分を示す図である。
【図９】本発明の開示の実施形態による図８の例示的タッチ画面の更なる詳細を示す図である。
【図１０】本発明の開示の実施形態による並べ替え行反転を利用する液晶ディスプレイパネルを含むことができる例示的携帯電話を示す図である。
【図１１】本発明の開示の実施形態による並べ替え行反転を利用する液晶ディスプレイパネルを含むことができる例示的デジタルメディアプレーヤを示す図である。
【図１２】本発明の開示の実施形態による並べ替え行反転を利用する液晶ディスプレイパネルを含むことができる例示的パーソナルコンピュータを示す図である。
【発明を実施するための形態】
【０００７】
例示的実施形態の以下の説明では、本発明の開示の実施形態を実施することができる特定的な実施形態の例示として示す添付図面を参照する。本発明の開示の実施形態の範囲から逸脱することなく他の実施形態が使用され、かつ構造的な変更を行うことができることは理解されるものとする。
本発明の様々な実施形態は、液晶表示デバイス内に配置されたピクセルの電極に供給される電圧を切り換える方法に関する。液晶電極の第１の組に供給された交流電圧に関連する周波数を低下させることにより、液晶表示デバイスを駆動するのに必要とされる電力を低減することができる。同時に、液晶表示デバイス内のピクセルの行を更新するための並べ替えスケジュールは、改善された画像品質を提供することができる（すなわち、知覚可能な画像のちらつき及び／又は破れがない）。
【０００８】
本発明の開示の実施形態は、ディスプレイパネル内の行更新の並べ替えシーケンスを作成する観点から本明細書に説明して示すことができるが、本発明の開示の実施形態がそのように制限されるものではなく、更に、予め指定された順序によりディスプレイパネル内で最初に行を更新する方法に対して適用可能であることを理解すべきである。換言すれば、本発明の一部の実施形態は、不連続な行更新スケジュールに適合するように並べ替えられる連続行更新スケジュールに対応するデータストリームを必要としない。代替的に、最初に不連続行更新スケジュールに従ってデータストリームを出力する論理を利用することができ、それによって別々の並べ替え論理が不要になる。
【０００９】
更に、本発明の開示の実施形態は、ホストビデオドライバ内で実施される論理の観点から本明細書に説明して示すことができるが、本発明の開示の実施形態がそのように制限されるものではなく、ディスプレイサブアセンブリ、液晶ディスプレイ駆動チップ内で、又はソフトウエア、ファームウエア、及び／又はハードウエアのあらゆる組合せにおいて別のモジュール内でも実施することができることを理解すべきである。
【００１０】
図１は、本発明の開示の実施形態による例示的薄膜トランジスタ回路１００の一部分を示している。図示のように、薄膜トランジスタ回路１００は、各ピクセル１０２が１組のカラーサブピクセル１０４（それぞれ赤、緑、及び青）を収容する行に配列された複数のピクセル１０２を含む。液晶ディスプレイによって再現可能な各色は、すなわち、特定の１組のカラーサブピクセル１０４から発する３つのレベルの光の組合せとすることができる。
各カラーサブピクセル１０４は、誘電体として役立つ液晶を有するコンデンサを形成する２つの電極を含むことができる。これは、図１に液晶コンデンサ１０６（本明細書ではＣlcと表される）として示される。２つの電極間に位置を定められた液晶モジュールは、電圧の存在下で回転してバックライトから第１の偏光板まで入ってくる入射偏光光線の偏光角を変える捩れた分子構造を形成することができる。偏光の正味変化量は、第２の偏光板の偏光角に対して入射光線の偏光角のアライメントの角度を変えるように調節することができる電圧のマグニチュードに依存する。液晶ディスプレイの種類に応じて、電極にわたって電圧が印加された時に、液晶分子を電界に対して平行又は垂直に並べるようにトルクが作用する。要するに、電極にわたって印加される電圧を制御することにより、特定カラーサブピクセル１０４を通って様々な量で光線を通過させることができる。
【００１１】
従来の薄膜トランジスタアクティブマトリックス型ディスプレイでは、複数の走査線（ゲート線１０８と呼ばれる）と複数のデータ線１１０をそれぞれ水平方向と垂直方向に形成することができる。各サブピクセルは、ゲート線１０８の１つ及びデータ線１１０の１つの各交点に提供された薄膜トランジスタ（ＴＦＴ）１１２を含むことができる。１行のサブピクセルは、その行のゲート線１０８にゲート信号を印加することにより（その行のＴＦＴ上でオンにするように）、かつその行内のサブピクセルに必要とされる放射光の量に対応する電圧をデータ線１１０に供給することによってアドレス可能である。各データ線１１０の電圧レベルは、各サブピクセル内の記憶コンデンサに記憶され、カラーフィルタ電圧供給源１１４（本明細書ではＶcfと表される）に対して液晶コンデンサ１０６に関連する２つの電極にわたって望ましい電圧レベルを維持することができる。関連するカラーサブピクセル１０４が面内スイッチング（ＩＰＳ）デバイスの場合、カラーフィルタ電圧供給源１１４は、例えば、共通電圧線に接続したフリンジ電界電極によって提供することができることに注意されたい。代替的に、関連するカラーサブピクセル１０４が面内スイッチングを利用しない（非ＩＰＳ）場合、カラーフィルタ電圧供給源１１４は、例えば、カラーフィルタガラス上にパターン化されたインジウム・スズ・酸化物の層によって提供することができる。
【００１２】
記憶コンデンサ１１６（本明細書ではＣstと表される）はまた、薄膜トランジスタ１１２の特性変化が原因の又は液晶コンデンサ１０６に関連した液晶素子の変化によるサブピクセルの望ましい電圧レベル変動を低減するのに役立たせることができる。薄膜トランジスタ回路１００にわたって水平にかつゲート線１０８に平行に実施される１組のコンデンサ電圧線１１８（本明細書ではＶcstと表される）は、記憶コンデンサ１１６の各々を充電するのに使用することができる。コンデンサ電圧線１１８は、一般的に、互いにかつカラーフィルタ電圧供給源１１４に結合される。
【００１３】
図２は、本発明の開示の実施形態による例示的液晶コンデンサ１０６の略図である。図で示すように、液晶コンデンサ１０６は、２つの電極間に位置を定められた液晶素子２０４（例えば、一連の液晶モジュールを含むことができる）を収容することができる。通常の作動中に、上部電極（図２にピクセル電極２０２と表された）と下部電極（図２に共通電極２０６と表された）間の相対電圧に基づいて電界２０８を生成することができる。液晶素子２０４が回転する（捩れの有無に関わらず）量は、電界２０８の強度に依存し、次に電極２０２と２０６間の相対電圧に依存する。
【００１４】
２つの電極間の電圧が長時間にわたって一定に保たれると（例えば、ＤＣバイアスにより）、「画像膠着」として公知の現象が発生する可能性がある。画像膠着は、電極に印加された電圧が変わった後に液晶が通常状態に戻るのを妨げる液晶内の寄生電荷蓄積（偏光）の結果である。これは、サブピクセル１０４の下部又は上部における荷電結晶アライメント、又は更にサブピクセル１０４の縁部に向う結晶移動を引き起こす可能性がある。画像膠着の正味の影響は、画像が変更された後でも先に表示された画像の輪郭のぼやけが表示画面上に残る可能性があることである。すなわち、この影響は望ましくない。
【００１５】
液晶表示デバイスの画像膠着の影響を低減する１つの一般的な戦略は、液晶コンデンサの電極間の相対電圧極性を周期的に切り換えることにより、液晶コンデンサ１０６にわたって平均ＤＣ電圧をゼロボルトに維持することである。例えば、液晶素子２０４に対してある一定量の捩れを生成するために３ボルトの全相対電圧のマグニチュードが要求される場合、これは、引き続いて起こるビデオフレーム間に電極２０２と２０６間の相対電圧が正の３ボルトと負の３ボルトの間で交替するように電極２０２及び２０６の電圧を切り換えるによって達成することができる。
【００１６】
残念なことに、そのような電圧切換、すなわち、反転の戦略の多くの従来型の実施は、画像品質（ちらつき）対電力消費の２つの競合する設計のトレードオフに行き当たる。例えば、共通電極２０６に印加される電圧が各連続ビデオフレームに伴って切り換えられるフレーム反転の従来方法の場合を考えてみる。
一方では、フレーム反転は、各フレーム更新あたりに単なる１つの電圧移行を必要とするので比較的低い電力しか消費しないとすることができる。他方では、連続ビデオフレーム間での電圧切換は、ＬＣＤ駆動チップの些細な誤差、薄膜トランジスタの非対称性、無目的充電のために、及び薄膜トランジスタスイッチがそれ以外の不完全な特性に有するために、光学的非対称性をもたらすことがある。多くの場合、連続ビデオフレーム内で同じピクセルが異なる輝度レベルで出現する可能性がある（例えば、最初のビデオフレーム中には、ディスプレイのいずれか与えられたピクセルの輝度の百分率が５０％になる一方、次のフレーム中には、同じピクセルの輝度の百分率が５２％になることがある）。連続するフレーム間で同じピクセルによって生成された輝度レベル間の差が比較的小さい限り、ディスプレイの各ピクセルがより明るいレベルと暗いレベルの間で迅速に交替するので（すなわち、Ｖcomの電圧レベルに従って）、人間の目ではいずれにせよちらつきを知覚できない。
【００１７】
ちらつきの問題は、電極に加えられる電圧レベルが切り換えられる前に隣接するピクセルの行が更新される反転方法において起こる可能性がある。従来のフレーム反転方法では、例えば、所定ビデオフレーム中にピクセル行の全てが第１の電圧に維持され、次のビデオフレーム中に全てが第２の電圧に切り換えられる。
従来の１行反転方法では、隣接するピクセル行が異なる電圧レベルに維持されて次のフレームで切り換えられ、ちらつきが少ないより良い画像品質を提供することができる。特に、連続した行の更新及び各行のＶcomを反転は、表示画面上のピクセル行の半分があらゆる所定ビデオフレーム行の別の半分とは異なる挙動をするために光学的非対称性を軽減することができる。より詳細には、次のビデオフレームを反転させる関係で、単一ビデオフレーム中に偶数行が僅かに明るくなる一方で奇数行が僅かに暗くなることがある。すなわち、平均表示強度が全てのフレームにわたって一定に維持されるために人間の目がちらつきを知覚できない。
【００１８】
しかし、ディスプレイパネルの各行が更新されるようにＶcomを反転すると、例えば、従来のフレーム反転法と比較した時に比較的大きな電力量を消費する可能性がある。これは、電力が電流と直接関連する一方で、電流は、周波数と直接関連するためである。より詳細には、以下のようになる。
Ｐ＝Ｉ・Ｖ、かつ
Ｉ＝ＣT0T・ｆ・ＶPP
すなわち、行の更新に関連する周波数ｆを上げることによって電流Ｉが増加し、より高い電力出力Ｐをもたらす。１行反転では、例えば、所定フレームがディスプレイパネル内のピクセル行の全数に等しい間にＶcom回数が切り換えられる。対照的に、フレーム反転は、フレームあたり１回だけＶcomが切り換えられることを必要とし、結果的に電力量が実質的に小さくなる。
【００１９】
すなわち、ちらつき対電力消費の設計トレードオフが、例えば、従来のフレーム反転と１行反転の間に存在する。ちらつき対電力消費の設計トレードオフが他の従来型反転技術も同様に拘束することに注意されたい。例えば、従来型の２行反転では、電圧レベルＶcomが切り換えられる前にピクセルの２つの行を更新することができる。すなわち、２行反転の周波数は、１行反転の周波数の半分として有意により小さな割合の電力消費をもたらすことができる。
【００２０】
より低い周波数で電力が節約されるにも関わらず、ビデオフィード内に非対称の目に見えるアーチファクトを知覚する可能性がある。これは、隣接する行の組がＶcomの各移行で更新されるためである。換言すれば、いずれか所定行に隣接する全ての行が特定行よりも暗い（又は明るい）輝度のレベルを呈することができる１行反転の場合と異なり、２行反転の場合は、隣接する行の組が同時により明るく及びより暗くなる。すなわち、ちらつき効果が２行反転で１行反転よりも知覚可能になることにも注意されたい。Ｖcomの電圧レベルが切り換えられる前により多くの行が更新されるので（例えば、４つの行の組が更新される４行反転、８つの行の組が更新される８行反転などである）、反転を実施するのに必要な電力の量が徐々により小さくなる一方、知覚可能なちらつきの量が徐々により目に見えるようになる。
すなわち、本発明の様々な実施形態は、１行反転の空間的特性を維持するのを容易にし（知覚可能なちらつきがない高画像品質の保存）、同時に電力を節約するためにＶcom反転周波数を低くする。一部の実施形態では、複数のＶcomを独立に切り換える代わりに、ディスプレイパネルの共通電極２０６の全てを駆動するために単一の電圧供給源を使用してこれを達成することができる。
【００２１】
本発明の開示の実施形態は、様々な方法で実施することができる。例えば、一実施形態によれば、ディスプレイパネル内のピクセルの各行は、その組のいずれか所定行がその組の次の行から少なくとも１つの行だけ分離されるように更新組に割り当てることができる。共通電圧は、ディスプレイパネル内の電極に印加することができ、印加された電圧は、一定の周波数で２つの電圧レベルの間で切り換えるようになっている。更新組の行内のピクセルは、次に電極に印加された電圧が電圧レベルを切り換える度に更新することができる。
このようにして、Ｖcomの単一移行中に更新される隣接行のクラスターがないので、ちらつきの影響を軽減することができる。更に、Ｖcom反転周波数が従来の１行反転に関連する反転周波数よりも小さいので、必要とされる電力を従来の１行反転よりも低減することができる。
【００２２】
図３Ａ〜３Ｅは、本発明の開示の実施形態による並べ替え反転の例示的方法に関連する様々な波形を示す略図である。並べ替え反転の２行の方法が図３Ａ〜３Ｅに関連して概略示されているが、この処理が本発明の開示の実施形態によるより多くの行（以下に限定されるものではないが、４行並べ替え方法、８行並べ替え方法、１６行並べ替え方法、３２行並べ替え方法、６４行並べ替え方法を含む）を利用するように容易に拡大することができることに注意されたい。
【００２３】
図３Ａは、本発明の開示の実施形態による共通電極に印加される電圧（Ｖcom）を切り換える例示的方法に関連する波形を示す略図である。図で示すように、ピクセルの２行は、Ｖcomの各移行につき更新することができる。従来の１行反転の場合のようにＶcomの各移行で２倍多い行を更新することができるので、ディスプレイ内の行の全てを更新するのに必要なＶcom移行の数は、従って、従来の１行反転に必要な移行の数の半分とすることができる。すなわち、反転周波数は、従来の１行反転に関連する周波数の半分のマグニチュードになり、従って、ディスプレイを駆動するのに必要な電力をより低減することができる。
【００２４】
図３Ｂは、ピクセル電極２０２に印加される電圧に関連する１組の波形を示す略図である。第１の波形は、時間を関数とする第１のデータ線１１０（データ（ブラック））にわたって印加された電圧を示し、一方で第２の波形は、時間を関数とする第２のデータ線１１０（データ（ホワイト））にわたって印加された電圧を示している。薄膜トランジスタ回路１００内の特定ピクセル１０２は、ブラック及びホワイトサブピクセルに応答してピクセル電極２０２に印加された電圧レベルに基づいて特定レベルの輝度を生成することができる。図３Ａ〜３Ｅに示す例では、ブラックサブピクセルに対してマグニチュード０．５ボルトであり、ホワイトサブピクセルに対してマグニチュード３．５ボルトの相対電圧を達成することにより、各ピクセルに対して特定輝度出力が生成される。
【００２５】
ブラック及びホワイトデータ線１１０に対する特定電圧設定値は、特定瞬間におけるピクセル電極２０２と共通電極２０６の間の望ましい相対電圧に基づいて判断することができる。すなわち、Ｖcomの電圧レベルが＋０．５ボルト（対接地）に等しい時に＋０．５ボルトのターゲット相対電圧が望ましい場合、対応するデータ線１１０に印加される電圧は、＋１．０ボルトとすることができる。同様に、Ｖcomの電圧レベルが＋０．５ボルト（対接地）に等しい時に＋３．５ボルトのターゲット相対電圧が望ましい場合、対応するデータ線１１０に印加される電圧は、＋４．０ボルトとすることができる。
【００２６】
たとえＶcomの各移行で２行が更新することができる場合であっても（従来の２行反転の場合のように）、行が選択される順序は、本発明の開示の実施形態により不連続とすることができることに注意されたい。より詳細には、Ｖcomの同じ移行中に更新される隣接行のクラスターの数を最小にするように不連続の順序で行を選択することができる。例えば、図３Ａに示すように、選択された第１の組の行（更新組）が行０と行２とを含む一方で、第２の更新組は、行１と行３とを含むことができる。すなわち、更新された組の各行は、Ｖcomの電圧レベルが切り換えられた後に更新された通常の隣接する行によってその組の次の行から分離することができる。
【００２７】
この特定シーケンスで行を選択するために、本発明の開示の実施形態によりゲートパルスシーケンスを並べ替えることができる。例えば、図３Ｃは、第１の更新組内で行０及び行２、及び第２の更新組内で行１及び行３を選択するのに使用することができるゲートパルスシーケンスの並べ替えられた組を示している。ゲート指標は、ディスプレイパネル内で特定行に対応することができる。すなわち、行０を選択するためにゲート０に電圧を印加することができる。図３に示すように、行（０、２；１、３）の並べ替えられたシーケンスを達成するために、ゲート０に、その後にゲート２、ゲート１、及びゲート３に電圧を印加することができる。
【００２８】
図３Ｂに示すデータ線の電圧設定値は、次に、ある一定の期間にわたるＶcomの電圧設定値（図３Ａに示すように）及び行がゲート制御された順序（図３Ｃに示すように）により設定することができる。ある一定の瞬間におけるピクセル電極２０２と共通電極２０６の間の相対電圧は、図３Ｄ及び図３Ｅに示されており、ブラック及びホワイトサブピクセルに関連する１組の波形を示す略図になっている。特定行がゲート制御された後のサブピクセルの相対電圧は、対応するデータ線の電圧レベルからＶcomの電圧レベルを引いた差として与えられる。例えば、行１がゲート制御された後、ホワイトサブピクセルの相対電圧は、１．０ボルト−４．５ボルト＝−３．５ボルトとすることができる。
【００２９】
図３Ａ〜３Ｅに示すように、並べ替え反転の２行法のＶcom反転周波数は、関連する従来の２行反転と同じ周波数になる可能性がある。すなわち、２行並べ替え反転を実施するのに必要な電力は、従来の２行反転と同等と考えられる。しかし、知覚可能なちらつき量は、Ｖcomの同じ移行中にピクセルの隣接行が全く更新されなかったので、従来の１行反転の量に類似するであろう。
この反転技術の正味の効果は、各ビデオフレームの場合、偶数行が奇数行とは異なるレベルの輝度を依然として呈するので、従来の１行反転に同等の方法でちらつきの影響を軽減することができるということである。これは、液晶ディスプレイパネルの４行の各ピクセルの相対電圧を収録している図３Ｆの表が最適に証明している。これらの電圧が図３Ｄ及び図３Ｅに示す相対電圧波形の数値表現であり、Ｖcomの電圧レベルと、特定行がゲート制御された後に対応するデータ線１１０に対して印加された電圧レベルとの差として導出することができることに注意されたい。
【００３０】
偶数行又は奇数行の更新された組を選択することにより、隣接行のクラスターは、従って、同時により明るくなっているか又はより暗くなっているとして容易に知覚されない。同時に、Ｖcomの周波数は、従来の１行反転に関連する周波数の半分のマグニチュードのレベルまで低下させることができる。これは、電流が周波数と直接関連して電力が電流と直接関連するので、より小さな電力出力をもたらす（既に上述したように）。
【００３１】
図４Ａ〜４Ｄは、行更新シーケンス及び対応するＶcom電圧設定値の表であり、本発明の開示の実施形態による２行並べ替え反転の上述の処理を拡張することができる方法を共に示している。図４Ａは、従来の１行反転を示す表である。図４Ｂは、２行並べ替え反転を示し、図４Ｃは、４行並べ替え反転を示し、かつ図４Ｄは、８行並べ替え反転を示している。各表の上部部分は、時間を関数とするＶcomの電圧設定値を表す一方、下部部分は、更新されている現在行の指標を収録している。各表内に１６の行（すなわち、行０〜１５）が示されており、実質的にはディスプレイパネル内の行の実際の数がより多いが、行更新の順序は、表内に示すのと同じパターンを追従することになることに注意されたい。
【００３２】
図４Ｂ〜４Ｄのシーケンスに関連する並べ替え反転の方法は、いくつかの方法で実施することができる。例えば、一部の実施形態では、ディスプレイパネル内のピクセルの各行は、組内の各行が少なくとも１つの行だけ分離されるように更新組に割り当てることができる。ディスプレイパネル内の１組の電極に印加される共通電圧は、一定周波数の２つの電圧レベルの間で切り換えることができる。更新組に存在する行は、次に、共通電圧の各移行に伴って更新することができる。
図４Ｂは、本発明の開示の実施形態による２行並べ替え反転の例示的シーケンスを示している。図４Ｂで示すように、Ｖcom移行の数（８）は、従来の１行反転で利用されたＶcom移行の数（図４Ａに示すように、１６）の半分とすることができる。同様に、更新組内の行の数は、従来の１行反転で更新される行の数の２倍とすることができる。
【００３３】
図４Ｃは、本発明の開示の実施形態による４行並べ替え反転の例示的シーケンスを示している。図４Ｃで示すように、Ｖcom移行の数（４）は、従来の１行反転のＶcom移行の数（１６）の４分の１とすることができる。同様に、更新組内の行の数は、従来の１行反転で更新される行の数の４倍とすることができる。
図４Ｄは、本発明の開示の実施形態による８行並べ替え反転の例示的シーケンスを示している。図４Ｄで示すように、Ｖcom移行の数（２）は、従来の１行反転のＶcom移行の数（１６）の８分の１とすることができる。同様に、更新組内の行の数は、従来の１行反転で更新される行の数の８倍とすることができる。
図４Ｂ〜４Ｄで示すように、Ｖcomの周波数が半分になるので各更新組の行の数が２倍になる。電流が周波数と直接関連して電力が電流と直接関連するので、Ｖcomの周波数が徐々に小さくなる時に、ディスプレイを駆動するのに必要な電力の量も徐々に小さくなる。
【００３４】
一実施形態によれば、Ｖcomが切り換えられる前に偶数行の全てを更新し、続いて奇数行の全てを更新することができる。多くの場合に、この設定は、従来の１行反転に関連するちらつきの特性を依然として維持するＶcomの最小周波数をもたらす。
更新組が徐々に大きくなる時に、「フレームの破れ」として公知の望ましくない画像効果がより知覚可能になる可能性があることに注意すべきである。フレームの破れは、２つの連続フレームにわたってディスプレイ上に呈示される個別の画像の部分が同時に別々の位置に出現する原因になる。知覚可能な破れのレベル及び破れた画像が画面上に留まる時間の両方が更新組内の行の数に依存するので、本発明の一部の実施形態は、電力節約と高い視覚的品質との均衡を取るために８から６４行のどこかで更新する。
【００３５】
並べ替え行反転を実施することができるようにゲートパルスシーケンスと行更新シーケンスとを修正するために、本発明の開示の実施形態によるいくつかの技術を利用することができる。例えば、ゲートパルスシーケンスは、有意な面積的又は性能的ペナルティなしに、液晶ディスプレイ駆動チップ内で又は電気絶縁性基板（例えば、ガラス）上に配置されたゲート駆動回路を通じて並べ替えることができる。
【００３６】
一部の実施形態によれば、行更新シーケンスは、そのシーケンスがホストビデオドライバから連続して伝達された後に液晶ディスプレイ駆動チップ内で並べ替えることができる。一部の実施形態では、この並べ替えを達成するために液晶ディスプレイ駆動チップが部分フレームバッファを利用することができる。一実施形態では、例えば、部分フレームバッファは、更新組内の行数に対応するメモリサイズを収容する。
【００３７】
他の実施形態では、行更新シーケンスは、ホストビデオドライバ自体内で並べ替えることができる。ホストビデオドライバは、次に、液晶ディスプレイドライバ行更新の並べ替えシーケンスを伝達することができる。このようにして、液晶ディスプレイ駆動チップ内に収容された論理は、並べ替え処理から殆ど隔離することができる。更に、液晶ディスプレイ駆動チップは、付加的なメモリを必要としない場合があり、それによってコスト節約をもたらす。
【００３８】
図５は、タッチセンサパネル５２４と上述の本発明の開示の実施形態の１つ又はそれよりも多くを含むことができるディスプレイモジュール５３８とを含む例示的コンピュータシステム５００を示している。タッチセンサ機能性に関して、例示的コンピュータシステム５００は、１つ又はそれよりも多くのタッチプロセッサ５０２及び周辺機器５０４、及びタッチサブシステム５０６を含むことができる。周辺機器５０４は、以下に限定されるものではないが、ランダムアクセスメモリ（ＲＡＭ）、又は他の形式のメモリ又はストレージ、及び監視タイマなどを含むことができる。タッチサブシステム５０６は、以下に限定されるものではないが、１つ又はそれよりも多くの感知チャンネル５０８、チャンネル走査論理５１０、及び駆動論理５１４を含むことができる。チャンネル走査論理５１０は、ＲＡＭ５１２にアクセスして感知チャンネルからデータを自律的に読み取り、感知チャンネルを制御することができる。更に、チャンネル走査論理５１０は、駆動論理５１４を制御して様々な周波数及び位相で刺激信号５１６を発生し、タッチセンサパネル５２４の駆動線に選択的に印加することができる。一部の実施形態では、タッチサブシステム５０６、タッチプロセッサ５０２、及び周辺機器５０４は、単一の特定用途向けＩＣ（ＡＳＩＣ）に一体化することができる。
【００３９】
タッチセンサパネル５２４は、複数の駆動線及び複数の感知線を有する容量性感知媒体を含むことができるが、他の感知媒体を使用することもできる。駆動及び感知線の各交差点は、容量性感知ノードを表し、タッチセンサパネル５２４がタッチの「画像」を捕捉したと見られる時に特に有用とすることができるタッチピクセル５２６として見ることができる。（換言すれば、パネルサブシステム５０６が、タッチセンサパネル内の各タッチセンサにおいてタッチイベントが検出されたか否かを判断した後に、タッチイベントが発生したマルチタッチパネル内のタッチセンサのパターンは、タッチの「画像」（例えば、パネルをタッチする指のパターン）として見ることができる。）タッチセンサパネル５２４の各感知線は、タッチサブシステム５０６において感知チャンネル５０８（本明細書ではイベント検出及び復調回路とも呼ぶ）を駆動することができる。
【００４０】
コンピュータシステム５００はまた、タッチプロセッサ５０２から出力を受け取り、この出力に基づいてアクションを実行するホストプロセッサ５２８を含むことができ、このアクションは、以下に限定されるものではないが、カーソル又はポインタのような物体を移動させ、スクロール又はパンし、制御設定を調節し、ファイル又は文書を開き、メニューを見て、選択を行い、命令を実行し、ホストデバイスに連結された周辺デバイスを開き、電話に出て、電話を掛け、電話を終了し、音量又はオーディオ設定を変え、アドレス、頻繁にダイヤルした番号、受信コール、不在着信コールのような電話通信に関連する情報を格納し、コンピュータ又はコンピュータネットワークにログオンし、コンピュータ又はコンピュータネットワークの制限された領域に対して認証された個人アクセスを許可し、コンピュータデスクトップのユーザの好みに関連するユーザプロフィールをロードし、ウェブコンテンツへのアクセスを許可し、特定プログラムを起動し、及び／又はメッセージを暗号化又は復号するなどを含むことができる。ホストプロセッサ５２８はまた、タッチパネルの処理に関連しないことがある追加機能を実施することができ、プログラムストレージ５３２及びディスプレイモジュール５３８に連結することができる。部分的に又は全体的にタッチセンサパネル５２４の下に設けられると、液晶表示デバイス５３０は、タッチセンサパネル５２４と共にタッチ画面を形成することができる。
【００４１】
上述の機能の１つ又はそれよりも多くは、メモリ（図５の周辺デバイス５０４の１つ）内に格納されてパネルプロセッサ５０２によって実行されるか、又はプログラムストレージ５３２内に格納されてホストプロセッサ５２８によって実行されるファームウエアによって実施することができることに注意されたい。ファームウエアはまた、コンピュータベースのシステム、プロセッサを収容するシステム、又は命令実行システム、装置、又はデバイスから命令をフェッチしてその命令を実行することができる他のシステムのような命令実行システム、装置、又はデバイスによって又はそれに関連して使用するためのあらゆるコンピュータ可読媒体内で格納及び／又はトランスポートすることができる。本明細書の関連では、「コンピュータ可読媒体」は、命令実行システム、装置、又はデバイスによって又はそれに関連して使用するために収容又は格納するあらゆる媒体とすることができる。コンピュータ可読媒体は、以下に限定されるものではないが、電子、磁気、光学、電磁気、赤外線、又は半導体システム、装置、又はデバイス、持ち運びすることができるコンピュータディスケット（磁気）、ランダムアクセスメモリ（ＲＡＭ）（磁気）、読取専用メモリ（Ｒ０Ｍ）（磁気）、消去可能プログラマブル読取専用メモリ（ＥＰＲ０Ｍ）（磁気）、ＣＤ、ＣＤ−Ｒ、ＣＤ−ＲＷ、ＤＶＤ、ＤＶＤ−Ｒ、又はＤＶＤ−ＲＷのような持ち運びすることができる光学ディスク、又はコンパクトフラッシュ（登録商標）カード、担保付きデジタルカードのようなフラッシュメモリ、ＵＳＢメモリデバイス、及びメモリスティックなどを含むことができる。
【００４２】
ファームウエアはまた、コンピュータベースのシステム、プロセッサを収容するシステム、又は命令実行システム、装置、又はデバイスから命令をフェッチしてその命令を実行することができる他のシステムのような命令実行システム、装置、又はデバイスによって又はそれに関連して使用するためのあらゆるトランスポート媒体内で伝播させることができる。本明細書の関連では、トランスポート媒体は、命令実行システム、装置、又はデバイスによって又はそれに関連して使用するためにプログラムを通信、伝播、又はトランスポートするあらゆる媒体とすることができる。トランスポート可読媒体は、以下に限定されるものではないが、電子、磁気、光学、電磁気、又は赤外線有線又は無線伝播媒体を含むことができる。
表示機能性に関連して、ディスプレイモジュール５３８は、液晶デバイス５３０にビデオフィードを流すようになったホストビデオモジュール５２９を含むことができる。ビデオフィードは、液晶表示デバイス５３０内に常駐している液晶ディスプレイ駆動モジュール５３４によって受け取ることができる。
【００４３】
一部の実施形態によれば、ホストビデオモジュール５２９は、行が連続して更新されるように行更新に対応する信号を出力することができる。液晶ディスプレイ駆動モジュール５３４は、これらの信号を受け取ったすぐ後に、上述のようにシーケンスを並べ替えることができる。一部の実施形態では（図５で示すように）、液晶ディスプレイ駆動モジュールは、シーケンス外の信号データを一時的に格納するための部分的なフレームバッファを収容することができる。
【００４４】
他の実施形態では、並べ替え論理は、ホストビデオモジュール５２９が、並べ替えられたビデオフィードを液晶ディスプレイ駆動モジュール５３４に呈示することができるホストビデオモジュール５２９内に収容される。更に他の実施形態では、ホストビデオモジュール５２９は、指定された行の更新シーケンスを最初に出力し、それによって並べ替え論理が不要になるように適応させることができる。
一部の実施形態では、ディスプレイ及びタッチ機能が一体化され、そのためにピクセル１０２の少なくとも一部分がタッチセンサパネル内で容量性タッチセンサとして機能するように適応させることができる。例えば、図６は、本発明の開示の実施形態による並べ替えられた反転を利用するタッチ画面６２０を含む例示的コンピュータシステム６００のブロック図である。
【００４５】
タッチ画面６２０は、複数の駆動線６２２及び複数の感知線６２３を有する容量性感知媒体を含むことができる。駆動線６２２は、駆動インタフェース６２４を通じて駆動論理６１４からの刺激信号６１６によって駆動され、感知線６２３で発生した結果的な感知信号６１７は、感知インタフェース６２５を通じて感知チャンネル６０８（イベント検出及び復調回路とも呼ばれる）に伝送することができる。その後、信号６１７は、駆動線及び感知線を有するタッチ画面上又はその付近のタッチ物体との相互作用から生じるタッチ情報を搬送することができる。このようにして、駆動線及び感知線は、相互作用してタッチピクセル６２６及び６２７のような容量性感知ノードを形成することができる。
【００４６】
図７は、本発明の開示の実施形態による駆動線及び感知線の例示的構成を示す更に詳細な図である。図７に示すように、各駆動線６２２は、接続部７０５において駆動線リンク７０３によって電気接続した複数の駆動線部分７０１で形成される。駆動線リンク７０３は、感知線６２３に電気接続されていない場合があり、むしろ、駆動線リンクは、バイパス７０７を通じて感知線をバイパスすることができる。駆動線６２２及び感知線６２３は、容量的に相互作用してタッチピクセル６２６及び６２７のようなタッチピクセルを形成することができる。駆動線６２２（すなわち、駆動線部分７０１及び駆動線リンク７０３）及び感知線６２３は、タッチ画面６２０において導電性構造体で形成することができる。
【００４７】
導電性構造体は、例えば、従来の液晶ディスプレイに存在する構造体を含むことができる。図８は、共通電極２０６が接地されて本発明の開示の実施形態によるタッチ感知システムの一部分を形成する例示的構成を示している。共通電極２０６は、インジウム・スズ・酸化物のような半透明導電材料で形成することができる。この例では、共通電極２０６は、タッチ画面上に画像を表示するためにタッチ画面６２０の表示相中には、従来の高速電界スイッチング（ＦＦＳ）ディスプレイの共通電極のように作動する。タッチ相中には、共通電極２０６は、共に接地されて、タッチ画面６２０の駆動線部分７０１及び感知線６２３に対応する駆動部分領域８０３及び感知領域８０５を形成することができる。
【００４８】
図９は、共通電極２０６を図８に示す構成にまとめ、駆動部分領域を連結して本発明の開示の実施形態による駆動線を形成するのに使用することができる導電線の例示的構成を示している。図９は、ｘ方向に沿ったｘＶcom線８０１とｙ方向に沿ったｙＶcom線９０３とを含む。各駆動部分領域８０３は、以下でより詳細に説明するように、各共通電極を駆動部分領域内のｘＶｃｏｍ線９０１の１つとｙＶcom線９０３の１つとに接続することができる接続部９０５を通じて共に接続した共通電極８０１の群として形成することができる。ｙＶcom線９０３ａのような駆動部分領域８０３を通って延びるｙＶcom線９０３は、各駆動部分領域を他の駆動部分領域から上下に電気的分離をする断続部９０９を含むことができる。
【００４９】
各感知領域８０５は、各共通電極をｙＶcom線９０３の１つに接続する接続部９０７を通じて共に接続した共通電極２０６の群として形成することができる。追加接続部（図示せず）は、各感知領域８０５のｙＶcom線を共に接続することができる。例えば、付加的な接続部は、作動のタッチ相中に各感知領域のｙＶcom線を接続するタッチ画面６２０の境界部にスイッチを含むことができる。ｙＶcom線９０３ｂのような駆動部分領域８０５を通って延びるｙＶcom線９０３は、全ての共通電極８０１をｙ方向に電気接続することができ、すなわち、感知領域のｙＶcom線は、断続部を含まない。
駆動線９１１は、ｘＶcom線９０１を使用して感知領域８０５にわたって駆動部分領域８０３を接続することによって形成することができる。ｘＶcom線は、バイパス９１３を使用して感知領域のｙＶcom線をバイパスすることができる。
【００５０】
本発明の開示の実施形態は、幅広い電子デバイスに利用することができることを注意することが重要である。例えば、図１０は、本発明の一実施形態による並べ替え行反転を利用する液晶ディスプレイパネル１００２を含むことができる携帯電話１０００を示している。図１１は、本発明の別の実施形態による並べ替え行反転を利用する液晶ディスプレイパネル１１０２を含むことができる例示的デジタルメディアプレーヤ１１００を示している。図１２は、本発明の更に別の実施形態による並べ替え行反転を利用する液晶ディスプレイパネル１２０２を含むことができる例示的パーソナルコンピュータ１２００を示している。様々な他の電子デバイスも、本発明の範囲に入るものと考えられる。
【００５１】
本発明の一実施形態は、各ピクセルが共通交流電圧供給源に結合された共通電極及び個々にアドレス可能なピクセル電極を含む複数の行に配置されたピクセルのアレイと、ピクセルのアレイに接続されて、交替する偶数行の群及び奇数行の群が更新されるように行更新シーケンスを並べ替えるようになった第１のモジュールと、ピクセルのアレイに接続されてゲートパルスシーケンスを並べ替えるようになった第２のモジュールとを含み、ゲートパルスシーケンスが、並べ替えられた行更新シーケンスに対応する群内の行を選択するようになっており、ピクセルの少なくとも一部分が、タッチセンサパネル内で容量性タッチセンサとして機能するようになっている表示装置とすることができる。
【００５２】
本発明の別の実施形態は、液晶表示デバイス内で反転を実施する方法とすることができ、本方法は、液晶表示デバイス内でピクセルの行を漸進的に更新するようになったビデオフィードを受け取る段階と、指定された量の行が、メモリバッファ内に最初に格納され、指定された量の行が、奇数行と同じ数の偶数行を収容し、かつ偶数行が奇数行の前に更新されるようにビデオフィードが並べ替えられているように、ビデオフィードを並べ替える段階と、並べ替えられたビデオフィードに対応する行を選択するようになったゲートパルスシーケンスを作成する段階とを含み、上述のビデオフィードを並べ替える段階は、ホストビデオモジュール内で実施される。ビデオフィードはまた、ディスプレイサブアセンブリ内で実施することができる。
【００５３】
本発明の更に別の実施形態は、表示装置を含む携帯電話とすることができ、表示装置は、各ピクセルが共通交流電圧供給源に結合された共通電極及び個々にアドレス可能なピクセル電極を含む複数の行に配置されたピクセルのアレイと、ピクセルのアレイに接続されて、交替する偶数行の群及び奇数行の群が更新されるように行更新シーケンスを並べ替えるようになった第１のモジュールと、ピクセルのアレイに接続されてゲートパルスシーケンスを並べ替えるようになった第２のモジュールとを含み、ゲートパルスシーケンスは、並べ替えられた行更新シーケンスに対応する群内の行を選択するようになっている。
【００５４】
本発明の更に別の実施形態は、表示装置を含むメディアプレーヤとすることができ、表示装置は、各ピクセルが共通交流電圧供給源に結合された共通電極及び個々にアドレス可能なピクセル電極を含む複数の行に配置されたピクセルのアレイと、ピクセルのアレイに接続されて、交替する偶数行の群及び奇数行の群が更新されるように行更新シーケンスを並べ替えるようになった第１のモジュールと、ピクセルのアレイに接続されてゲートパルスシーケンスを並べ替えるようになった第２のモジュールとを含み、ゲートパルスシーケンスは、並べ替えられた行更新シーケンスに対応する群内の行を選択するようになっている。
【００５５】
本発明の付加的な実施形態は、表示装置を含むパーソナルコンピュータを含むことができ、表示装置は、各ピクセルが共通交流電圧供給源に結合された共通電極及び個々にアドレス可能なピクセル電極を含む複数の行に配置されたピクセルのアレイと、ピクセルのアレイに接続されて、交替する偶数行の群及び奇数行の群が更新されるように行更新シーケンスを並べ替えるようになった第１のモジュールと、ピクセルのアレイに接続されてゲートパルスシーケンスを並べ替えるようになった第２のモジュールとを含み、ゲートパルスシーケンスは、並べ替えられた行更新シーケンスに対応する群内の行を選択するようになっている。
本発明の開示の実施形態を添付図面を参照して完全に説明したが、様々な変更及び修正が当業者には明らかになることに注意されたい。そのような変更及び修正は、特許請求の範囲によって定められる本発明の開示の実施形態の範囲内に含まれるように理解されるものとする。
【符号の説明】
【００５６】
１００  薄膜トランジスタ回路
１０２  ピクセル
１０４  カラーサブピクセル
【図１】
2010176137.tif 000003
【図２】
2010176137.tif 000004
【図３】
2010176137.tif 000005
【図３Ｆ】
2010176137.tif 000006
【図４】
2010176137.tif 000007
【図５】
2010176137.tif 000008
【図６】
2010176137.tif 000009
【図７】
2010176137.tif 000010
【図８】
2010176137.tif 000011
【図９】
2010176137.tif 000012
【図１０】
2010176137.tif 000013
【図１１】
2010176137.tif 000014
【図１２】
2010176137.tif 000015
【外国語明細書】
2010176137.tif 000016
2010176137.tif 000017
2010176137.tif 000018
2010176137.tif 000019
2010176137.tif 000020
2010176137.tif 000021
2010176137.tif 000022
2010176137.tif 000023
2010176137.tif 000024
2010176137.tif 000025
2010176137.tif 000026
2010176137.tif 000027
2010176137.tif 000028
2010176137.tif 000029
2010176137.tif 000030
2010176137.tif 000031
2010176137.tif 000032
2010176137.tif 000033
2010176137.tif 000034
2010176137.tif 000035
2010176137.tif 000036
2010176137.tif 000037
2010176137.tif 000038
2010176137.tif 000039
2010176137.tif 000040
2010176137.tif 000041
2010176137.tif 000042
2010176137.tif 000043
2010176137.tif 000044
2010176137.tif 000045
2010176137.tif 000046
2010176137.tif 000047
2010176137.tif 000048
2010176137.tif 000049
2010176137.tif 000050
2010176137.tif 000051
2010176137.tif 000052